【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
内部キャビティを有する膨張可能ストラップに局部的に取り付けられる制御デバイスを備える、前記キャビティ内において所定圧力を達成しそれによって前記ストラップが係合している肢に必要な止血力を加える、インテリジェント空気圧式止血帯であって、
a)前記制御デバイスが、圧縮ガス容器と、前記容器及び前記内部キャビティと流体連通にある流れ制御ユニットと、前記圧縮ガス容器及び前記流れ制御ユニットが中に保持される剛性ハウジングとを備え、
b)自身によって加えられる始動力によって前記流れ制御ユニットをトリガするストラップ拘束ユニットと、を備え、
前記流れ制御ユニットが、トリガされると、前記ガス容器から排出される所定量の加圧ガスを前記内部キャビティに選択的に供給するように構成される、
インテリジェント空気圧式止血帯。
【請求項２】
前記流れ制御ユニットが、トリガされると導管の閉塞を解放し、排出される圧縮ガスが前記導管を通って前記ストラップの前記内部キャビティに流入することができるようにする、アクチュエータを備える、請求項1に記載の止血帯。
【請求項３】
前記流れ制御ユニットが、摺動可能穿刺ピンキャリアと、前記キャリアから突出している当接部とを備え、トリガ力が、前記当接部から前記キャリアへと伝えられ、それによって前記圧縮ガス容器の薄膜の穿刺が起こり、その結果、前記圧縮ガスが前記ストラップの前記内部キャビティ内に排出される、請求項1に記載の止血帯。
【請求項４】
前記流れ制御ユニットが、前記穿刺ピンの中空内部と流体連結にあるクロージャ要素を有する弁をさらに備え、前記クロージャ要素が、前記ストラップの前記内部キャビティ内の圧力が所定レベルを超えると前記穿刺ピンの中空内部から延在する流路を塞ぐように動作することができる、請求項3に記載の止血帯。
【請求項５】
前記ストラップ拘束ユニットが、前記ストラップ拘束ユニットに通された前記ストラップの変位から生じるストラップ由来の力に応答して動くことができる拘束要素を備え、
前記ストラップ拘束ユニットは、前記拘束要素によって前記ストラップを拘束するまで、前記ストラップの自由端が抵抗なく変位することを可能にするように構成される、
請求項1に記載の止血帯。
【請求項６】
前記ストラップ拘束ユニットが、前記ストラップ由来の力に応答して移動可能な始動要素をさらに備え、前記始動要素が、前記ストラップの膨張を起動するトリガに力を加えることができる位置まで変位可能である、請求項5に記載の止血帯。
【請求項７】
前記ストラップ拘束ユニットが、回転可能な始動拘束部材を備え、前記始動拘束部材が、前記始動要素と前記拘束要素の両方を含むように構成される、請求項6に記載の止血帯。
【請求項８】
前記ストラップ拘束ユニットが、前記ストラップの最大の引っ張り、前記ガス容器の薄膜の穿刺、及び、使用者の単一動作に応答した前記所定圧力の維持のための前記内部キャビティ内の前記圧力の調節を促進するように前記流れ制御ユニットと協働するように構成される、請求項6に記載の止血帯。
【請求項９】
前記ストラップ拘束ユニットが、前記ストラップの最大の引っ張り、前記ガス容器の薄膜の穿刺、及び使用者の単一動作に応答した止血処置の開始の時間的調節を促進するように前記流れ制御ユニットと協働するように構成される、請求項5に記載の止血帯。
【請求項１０】
前記ストラップ拘束ユニットが、
前記ストラップ拘束ユニットに通された前記ストラップの変位から生じるストラップ由来の力に応答して動くことができる拘束要素を備え、かつ、前記ストラップの自由端が止血力を加えるのに十分な所定長さになるまで前記自由端が抵抗なく変位することを可能にするように構成され、ストラップ由来の力を用いて前記ストラップを拘束するように構成される、請求項1に記載の止血帯。
【請求項１１】
前記制御デバイスが、前記ストラップの第1の長手方向端部に局部的に取り付けられそこから外方に突出している広い面積部材を含むように構成され、
前記止血帯が、前記広い面積部材の部分に係合可能なバックルフレームをさらに備え、前記バックルフレームは、前記ストラップの第2の長手方向端部に取り付けられ、ストラップ自由端部分が前記バックルフレームから延在して前記バックルフレームに対して可動的に係合可能である、請求項1に記載の止血帯。
【請求項１２】
前記広い面積部材が負傷した肢に接した状態で配置可能であり、前記ストラップが肢に巻き付け可能であり、それにより円周方向の圧力を前記肢に加え止血を引き起こすように前記ストラップに十分な張力がかかり、前記バックルフレームが前記広い面積部材に隣接して配置されたときに、
前記バックルフレームの未取付端は、前記ストラップの第1の端部に隣接している前記広い面積部材の一部に係合可能であり、前記バックルフレームのストラップ連結端は、前記広い面積部材の未取付端と係合可能である、請求項11に記載の止血帯。
【請求項１３】
前記バックルフレームは、前記広い面積部材と同じ形状である、請求項11に記載の止血帯。
【請求項１４】
前記制御デバイスの前記ハウジング内に取り付けられ、止血処置の経過時間を表示することができる、デジタルタイマをさらに備える、請求項1に記載の止血帯。
【請求項１５】
前記制御デバイスが、負傷者を援助すること意図する一つ以上の電子デバイスの機能を支援するための回路基板を備える、請求項1に記載の止血帯。
【請求項１６】
前記アクチュエータが摺動可能アクチュエータ弁である、請求項2に記載の止血帯。
【請求項１７】
止血帯に装備されるストラップ拘束ユニットであって、
a)負傷者の肢に止血力を加えるように適合された空気圧で膨張可能なストラップのそれを通した導入のための案内要素と、
b)前記ストラップ拘束ユニットに通された前記ストラップの変位から生じるストラップ由来の力に応答して動くことができる拘束要素と、
c)前記ストラップの膨張を起動するトリガに力を加えることができる位置まで変位可能となるように、前記ストラップ由来の力に応答して移動可能な始動要素と、
を備える、ストラップ拘束ユニットであり、
前記拘束要素が前記ストラップを拘束するように前記ストラップと十分に密な押圧関係になるまで前記ストラップの自由端が抵抗なく変位することを可能にするように構成される、ストラップ拘束ユニット。
【請求項１８】
止血帯を留置する方法であって、
a)ストラップと、前記ストラップの第1の長手方向端部に局部的に取り付けられそこから外方に突出している広い面積部材と、前記広い面積部分の一部に係合可能なバックルフレームであって前記ストラップの第2の長手方向端部に取り付けられてストラップ自由端部分が前記バックルフレームから延在し前記バックルフレームに対して可動的に係合可能であるようなバックルフレームとを含む、止血帯を用意するステップと、
b)前記ストラップの突出部材を、止血力を加えたい負傷した肢に当接関係で配置するステップと、
c)前記ストラップを、前記バックルフレームが前記突出部材に隣接するまで前記肢の周りに巻きつけるステップと、
d)前記バックルフレームの未取付端を前記第1の長手方向端部に隣接している前記突出部材の突出部分に係合するステップと、
e)前記バックルフレームのストラップ連結端を前記突出部材の未取付端に係合するステップと、
f)円周方向の圧力を前記肢に加え止血を引き起こすように前記ストラップに十分な張力がかかるまで前記ストラップ自由端部分を延ばすステップと
を含む、方法。